(57)【要約】呼設定時間を短縮するやり方でチャネル割当を有効に行う必要性に対処するために、本実施形態は、リモート・ユニット（１１３）によって格納された情報を参照する短縮チャネル割当メッセージ（３００）を提供する。参照される情報は、メッセージから取り除くことが可能である。このようにチャネル割当メッセージを縮小することによって、本実施形態は、受信側ユニットのバッテリの寿命に悪影響を与えることなく、チャネル割当メッセージをページング・スロットで送信可能であるようにする。したがってページング・スロットにおいてチャネル割当メッセージを送信するこの呼設定時間の短縮という効果は、バッテリ寿命のトレード・オフなしに実現することが可能である。
2005524306.tif 000002
【特許請求の範囲】
【請求項１】
基地サイトが有効なチャネル割当を行う方法であって、
高速呼設定（ＦＣＳ）チャネルを識別する情報を含むオーバーヘッド・ブロードキャスト・メッセージングを送信することと、
該リモート・ユニットとのサービスを確立する要求を受信することと、
以前に送信された該情報を参照することによって該リモート・ユニットを該ＦＣＳチャネルおよび該サービスに割り当てるチャネル割当メッセージを、該要求に応答してページング・チャネルを介して該リモート・ユニットに送信することと、
からなる方法。
【請求項２】
前記チャネル割当メッセージを送信することが、
前記リモート・ユニットのページ・メッセージをアセンブルする代わりに該チャネル割当メッセージをアセンブルすることと、
該リモート・ユニットの監視されたページング・スロットでページ・メッセージではなく該チャネル割当メッセージを送信することによって該リモート・ユニットを呼び出すことと、
からなる請求項１に記載の方法。
【請求項３】
さらに前記リモート・ユニットとのサービス・セッションに使用された無線構成を記述する情報を格納することからなり、前記チャネル割当メッセージはさらに、該リモート・ユニットとの以前のサービス・セッションに使用した無線構成情報を参照する請求項１に記載の方法。
【請求項４】
基地サイトが有効なチャネル割当を行う方法であって、
リモート・ユニットとのサービス・セッションに使用した無線構成を記述する情報を格納することと、
該リモート・ユニットとのサービスを確立する要求を受信することと、
該リモート・ユニットとの以前のサービス・セッションに使用した無線構成情報を参照することによって該リモート・ユニットをトラフィック・チャネルおよび該サービスに割り当てるチャネル割当メッセージを、該要求に応答してページング・チャネルを介して該リモート・ユニットに送信することと、
からなる方法。
【請求項５】
前記チャネル割当メッセージを送信することが、
前記リモート・ユニットのページ・メッセージをアセンブルする代わりに該チャネル割当メッセージをアセンブルすることと、
該リモート・ユニットの監視されたページング・スロットでページ・メッセージではなく該チャネル割当メッセージを送信することによって該リモート・ユニットを呼び出すことと、
からなる請求項４に記載の方法。
【請求項６】
前記チャネル割当メッセージが、以前に格納された無線構成、以前に格納されたサービス、および以前に使用されたＷａｌｓｈコードからなるグループから選択された少なくとも１つの構成要素を使用する旨の前記リモート・ユニットへの指示からなる請求項４に記載の方法。
【請求項７】
該リモート・ユニットが有効なチャネル割当を促進する方法であって、
高速呼設定（ＦＣＳ）チャネルを識別する情報を含むオーバーヘッド・ブロードキャスト・メッセージングを無線アクセス・ネットワーク（ＲＡＮ）から受信することと、
該ＦＣＳチャネルを識別する該情報を格納することと、
該ＦＣＳチャネルを識別する該情報を参照することによってリモート・ユニットを該ＦＣＳチャネルおよびサービスに割り当てるチャネル割当メッセージを、ページング・チャネルを介して該ＲＡＮから受信することと、
からなる方法。
【請求項８】
該リモート・ユニットが有効なチャネル割当を促進する方法であって、
無線アクセス・ネットワーク（ＲＡＮ）とのサービス・セッションに使用した無線構成を記述する情報を格納することと、
リモート・ユニットとの以前のサービス・セッションに使用した無線構成情報を参照することによって該リモート・ユニットをトラフィック・チャネルおよびサービスに割り当てるチャネル割当メッセージをページング・チャネルを介して該ＲＡＮから受信することと、
からなる方法。
【請求項９】
無線アクセス・ネットワーク（ＲＡＮ）であって、
送信機と、
受信機と、
該送信機および受信機に結合され、高速呼設定（ＦＣＳ）チャネルを識別する情報を含むオーバーヘッド・ブロードキャスト・メッセージングを送信するよう該送信機に指示するように構成され、リモート・ユニットとのサービス・セッションに使用した無線構成を記述する情報を格納するように構成され、該受信機を介して該リモート・ユニットとのサービスを確立する要求を受信するように構成され、かつ、以前に送信された該情報および該リモート・ユニットとの以前のサービス・セッションに使用された無線構成情報のうちの少なくとも１つを参照することによってトラフィック・チャネルおよび該サービスに該リモート・ユニットを割り当てるチャネル割当メッセージを、該要求に応答してページング・チャネルを介して該リモート・ユニットに送信するよう該送信機に指示するように構成されているコントローラと、
からなる無線アクセス・ネットワーク（ＲＡＮ）。
【請求項１０】
リモート・ユニットであって、
受信機と、
送信機と、
該送信機および受信機に結合され、該受信機を介して無線アクセス・ネットワーク（ＲＡＮ）から高速呼設定（ＦＣＳ）チャネルを識別する情報を含むオーバーヘッド・ブロードキャスト・メッセージングを受信するように構成され、該ＦＣＳチャネルを識別する該情報を格納するように構成され、該ＲＡＮとのサービス・セッションに使用した無線構造を記述する情報を格納し、かつ、該リモート・ユニットとの以前のサービス・セッションに使用された無線構成情報およびＦＣＳチャネルを識別する該情報のうちの少なくとも１つを参照することによってトラフィック・チャネルおよびサービスに該リモート・ユニットを割り当てるチャネル割当メッセージを、ページング・チャネルを介して該ＲＡＮから該受信機によって受信するように構成されているプロセッサと、
からなるリモート・ユニット。
【発明の詳細な説明】
【技術分野】
【０００１】
（関連出願の参照）
本出願は、共同所有されており、本願明細書にその全体を援用する２００２年４月２６日に出願された「有効なチャネル割当のための方法および装置（ＭＥＴＨＯＤ  ＡＮＤ  ＡＰＰＡＲＡＴＵＳ  ＦＯＲ  ＥＦＦＩＣＩＥＮＴ  ＣＨＡＮＮＥＬ  ＡＳＳＩＧＮＭＥＮＴ）」という名称の米国特許仮出願第６０／３７５６８１号明細書からの優先権を主張する。
【０００２】
本出願は、同日に出願され、本出願の譲受人に譲渡され、本願明細書に援用する「呼設定時間を低減する方法および装置（ＭＥＴＨＯＤ  ＡＮＤ  ＡＰＰＡＲＡＴＵＳ  ＦＯＲ
ＲＥＤＵＣＩＮＧ  ＣＡＬＬ  ＳＥＴＵＰ  ＴＩＭＥ）」という名称の同時係属出願に関する。
【０００３】
本出願は、２００２年１１月２５に出願され、本出願の譲受人に譲渡された「通信装置における動作状態間の遷移を促進する方法（ＭＥＴＨＯＤ  ＦＯＲ  ＥＸＰＥＤＩＴＩＮＧ  ＴＲＡＮＳＩＴＩＯＮＳ  ＢＥＴＷＥＥＮ  ＳＴＡＴＥＳ  ＯＦ  ＯＰＥＲＡＴＩＯＮ  ＩＮ  ＣＯＭＭＵＮＩＣＡＴＩＯＮＳ  ＥＱＵＩＰＭＥＮＴ）」という名称の同時係属出願第１０／３０３２５５に関する。
【０００４】
本出願は、２００１年６月２２に出願され、本出願の譲受人に譲渡された「ＣＤＭＡ移動体通信システムにおけるディスパッチ発呼および設定（ＤＩＳＰＡＴＣＨ  ＣＡＬＬ  ＯＲＩＧＩＮＡＴＩＯＮ  ＡＮＤ  ＳＥＴ  ＵＰ  ＩＮ  Ａ  ＣＤＭＡ  ＭＯＢＩＬＥ  ＣＯＭＭＵＮＩＣＡＴＩＯＮ  ＳＹＳＴＥＭ）」という名称の同時係属出願第０９／８８７１７２に関する。
【０００５】
本出願は、２００２年３月２８に出願され、本出願の譲受人に譲渡された「遅延を縮小した無線データ転送方法および装置（ＭＥＴＨＯＤ  ＡＮＤ  ＡＰＰＡＲＡＴＵＳ  ＦＯＲ  ＷＩＲＥＬＥＳＳ  ＤＡＴＡ  ＴＲＡＮＳＦＥＲ  ＷＩＴＨ  ＲＥＤＵＣＥＤ  ＤＥＬＡＹ）」という名称の同時係属出願第１０／１０８４０５に関する。
【０００６】
本出願は、２００２年３月２８に出願され、本出願の譲受人に譲渡された「無線データ転送の遅延を縮小させる方法および装置（ＭＥＴＨＯＤ  ＡＮＤ  ＡＰＰＡＲＡＴＵＳ  ＴＯ  ＲＥＤＵＣＥ  ＷＩＲＥＬＥＳＳ  ＤＡＴＡ  ＴＲＡＮＳＦＥＲ  ＤＥＬＡＹ）」という名称の同時係属出願第１０／１０８７８３に関する。
（発明の属する技術分野）
本発明は一般に通信システムに関し、より詳細には通信システムにおける有効なチャネル割当に関する。
【背景技術】
【０００７】
ディスパッチ通信サービスは、ＣＤＭＡベースの通信システムではまだ提供されていない。今日のセルラー式システムで提供されている相互接続サービスとは異なり、ディスパッチ・サービスは、従来から双方向無線システムによって提供されてきた。こうしたサービスによってユーザは、今日のセルラー式システムを使用すると困難な、または費用がかかる様々な方法で通信することが可能である。例えば、ディスパッチ・グループ通話サービスによって、ユーザは、通常プッシュ・ツー・トーク（ＰＴＴ）ボタンを押すだけで、同時かつ瞬時に人々のグループと連絡をとることが可能である。セルラー式システムを使用すると、３方向通話では複数の電話番号をダイヤルする必要がある、または電話会議を
設定する手配を行う必要があるため、こうした呼を瞬時に行うことは不可能である。
【０００８】
同様に、ディスパッチ個別通話（ｄｉｓｐａｔｃｈ  ｉｎｄｉｖｉｄｕａｌ  ｃａｌｌ）（一般にプライベート通話（ｐｒｉｖａｔｅ  ｃａｌｌ）と呼ばれる）サービスによって、ユーザは、迅速かつ自発的に別のユーザと連絡をとることが可能である。この特徴は、例えば一緒に働いるがある建物の異なる場所にいる２人など、一緒に働いているが互いに直接話すことが不可能である２人の人間には理想的である。無線通話が会話により適している場合、２人が働いている時の相互間でのショート・メッセージは、ディスパッチ個別通話サービスによってより円滑になる。
【０００９】
ディスパッチ通信の即時性のため、低遅延はディスパッチ通話の重要な要因である。例えば、一般の相互接続音声通話では許容可能である遅延でも、被呼者に対する接続が非常に速く確立されることに依存するディスパッチ・サービスでは受け入れがたい可能性がある。したがって、ディスパッチ通話を設定するのにかかる時間は重要である。低遅延（または待ち時間）は、データ・セッションを確立または再確立するときにも重要である。
【００１０】
この呼設定手順を短縮するための１つの提案は、チャネル割当メッセージによる呼出である。すなわち、こうしたチャネル割当メッセージを受信すると、目的の移動体（ｍｏｂｉｌｅ）は割り当てられたトラフィック・チャネルにジャンプする。この手法には、ページ／チャネル割当が移動体に送信されたときから、移動体がトラフィック・チャネル上に現れるときまでの時間を短縮する利点がある。しかし、チャネル割当メッセージは、ページング・メッセージよりかなり長い。多くの非アクティブの移動体は、節電モードから起動して共通のページング・スロットをリッスンする。ページング・メッセージではなくチャネル割当メッセージが送信されると、移動体は、長時間起動していなければならず、したがってより多くの電力を使用する。これによってバッテリの寿命がかなり短縮する。
【発明の開示】
【発明が解決しようとする課題】
【００１１】
したがって、呼設定時間を低減するようなやり方でチャネル割当を有効に行うための方法および装置が必要である。
【課題を解決するための手段】
【００１２】
呼設定時間を短縮するやり方でチャネル割当を有効に行う必要性に対処するために、本実施形態は、リモート・ユニットによって格納された情報を参照する短縮チャネル割当メッセージを提供する。参照される情報は、メッセージから取り除くことが可能である。このようにチャネル割当メッセージを縮小することによって、本実施形態は、リッスン側ユニットのバッテリの寿命に悪影響を与えることなく、チャネル割当メッセージをページング・スロットで送信可能であるようにする。したがって、ページング・スロットでチャネル割当メッセージを送信するこの呼設定時間の短縮という効果は、バッテリ寿命のトレード・オフなしに実現することが可能である。
【発明を実施するための最良の形態】
【００１３】
本実施形態は、図１〜５を参照するとさらに十分に理解することが可能である。図１は、本発明の１実施形態による通信システム１００を示すブロック図である。通信システム１００は、よく知られている符号分割多元接続（ＣＤＭＡ）システム、具体的にはＣＤＭＡ２０００システムであり、本発明を実施するために適切に変更されるアメリカ電気通信工業会／アメリカ電子工業会（ＴＩＡ／ＥＩＡ）標準ＩＳ−２０００に基づいている。本発明の代替実施形態は、ＷＣＤＭＡ、ＵＭＴＳ、ＧＳＭ、ＧＰＲＳ、ＥＤＧＥなど、他の技術を使用する通信システムで実施することが可能である。
【００１４】
本発明の第１の実施形態は、無線アクセス・ネットワーク（ＲＡＮ）１０３、および例えば移動局（ＭＳ）１１３および１２０などのリモート・ユニットを含む。しかし、本発明は移動可能なリモート・ユニットに限定されない。例えばリモート・ユニットは、無線アクセス・ネットワークに無線接続されたデスクトップ・コンピュータからなっていてもよい。一般に、本書面を通じて、「基地局」（ＢＳ）および無線アクセス・ネットワーク（「ＲＡＮ」）という用語は、同義としてみなすことが可能である。同様に「移動局」、「ユーザ装置」、「移動端末」、「移動ユニット」、および「リモート・ユニット」という用語も、一般に同義とみなすことが可能である。
【００１５】
図１は、システム１００が動作するのに必要なすべてのネットワーク装置を示しているわけではなく、本発明の実施形態の説明に特に関連するシステム・ブロックのみを示していることを当業者であれば理解されよう。例えばＲＡＮ１０３は、送信機１０６、受信機１０５、およびコントローラ１０７など、よく知られているエンティティからなる。こうしたエンティティのそれぞれを実装し、かつ／または「ＭＯＴＯＲＯＬＡ」などの無線通信会社から購入することが可能な多くの方法が当業者には認識される。コントローラは、例えば一般に、コンピュータ命令として表される、および／または回路で表されるアルゴリズムを実施するよう設計されたプロセッサ、メモリ、および／または論理回路などの構成要素からなる。アルゴリズムまたは論理フローが与えられている場合、コントローラを実施してロジックを実行するために使用可能な多くの設計および開発技術が当業者には認識される。
【００１６】
一般に、ＲＡＮの送信機および受信機は、基地サイトのコントローラ、移動交換局／ビジタ・ロケーション・レジスタ（ｖｉｓｉｔｏｒ  ｌｏｃａｔｉｏｎ  ｒｅｇｉｓｔｅｒ）（ＭＳＣ／ＶＬＲ）、ホーム・ロケーション・レジスタ（ｈｏｍｅ  ｌｏｃａｔｉｏｎ
ｒｅｇｉｓｔｅｒ：ＨＬＲ）などの装置とのインターフェースをとるＲＡＮ無線基地局（ｂａｓｅ  ｔｒａｎｓｃｅｉｖｅｒ  ｓｔａｔｉｏｎ：ＢＴＳ）の構成要素である。本発明の第１の実施形態では、既知のＣＤＭＡ２０００  ＲＡＮは、既知の通信設計および開発技術を使用して、本発明のＲＡＮ態様を実施するように構成されている。その結果が図４を参照して説明する方法を行うＲＡＮ１０３である。本発明のＲＡＮ態様は、ＲＡＮ１０３の様々な物理的構成要素内で、またそれらにわたって実施することが可能であることを当業者は理解されよう。
【００１７】
ＭＳ１１３は、受信機１１５、送信機１１６、および（例えばメモリおよび処理装置からなる）プロセッサ１１７からなる。ＣＤＭＡ  ＭＳで使用される送信機、受信機、およびプロセッサはすべて、当該技術分野ではよく知られている。ＭＳ構成要素のこの共通のセットは、既知の通信設計および開発技術を使用して本発明のリモート・ユニットの態様を実施するように構成されている。したがって、変更されたＭＳ１１３によって、図５を参照して説明する方法が行われる。
【００１８】
ＲＡＮ１０３およびＭＳ１１３および１２０は、ＣＤＭＡ２０００エア・インターフェース・リソース１２４〜１２５および１３０〜１３３を介して通信する。リソース１３０はページング・チャネルからなり、リソース１２４はアクセス・チャネルから、リソース１３１はブロードキャスト・チャネルから、リソース１２５、１３２、１３３はトラフィック・チャネル（ＴＣＨ）からなる。
【００１９】
本発明の１実施形態による通信システム１００の動作は、実質的に次のように行われる。ＲＡＮ１０３は、具体的にはＴＣＨ１３２で示す高速呼設定（ＦＣＳ）チャネルを識別する情報を含むオーバーヘッド・ブロードキャスト・メッセージングを送信する。ＦＣＳチャネル１３２のみを示しているが、オーバーヘッド・メッセージングは、一般に１組のＴＣＨを複数のＦＣＳチャネルとして識別する。
【００２０】
図２は、本発明の１実施形態によるブロードキャスト・メッセージ２００の例を示すブロック図である。ブロードキャスト・メッセージ２００は、まず、どれだけのＦＣＳチャネルが識別されるかを示すフィールドを含む。ＦＣＳチャネルは、一部のＣＤＭＡチャネルでは、Ｗａｌｓｈコード、および場合によってはメディア・アクセス制御ＩＤ（ＭＡＣ＿ＩＤ）によって識別され、ＴＤＭＡチャネルでは、事前に割り当てられたタイム・スロット識別子によって識別される。あるいは、ＦＣＳチャネルは、事前に割り当てられたバンド・クラスおよび搬送波周波数によって識別されてもよい。
【００２１】
ブロードキャスト・メッセージ２００は、ソフト・ハンドオフで割り当てることが可能なパイロットのサブセットを識別する情報をさらに含む。これにはまず、識別すべきパイロット数を示すフィールドが含まれる。次いでパイロットは、疑似雑音（ＰＮ）オフセットによって識別される。
【００２２】
ＭＳ１１３は、ブロードキャスト・チャネル１３１を監視し、ブロードキャスト・メッセージを受信する。次いでＭＳ１１３は、ブロードキャスト・メッセージに従ってＦＣＳチャネルおよびパイロット、およびその関連のインデックスまたは番号を識別する情報を格納する。したがって、ここで、ＷａｌｓｈコードまたはＰＮオフセットではなくそのインデックスまたは番号によってＦＣＳチャネルおよびパイロットを参照することが可能となる。
【００２３】
ブロードキャスト・メッセージングで受信した情報の格納に加えて、ＭＳ１１３およびＲＡＮ１０３は、ＭＳ１１３を含むサービス・セッションまたは接続からの無線構成情報も格納する。この構成履歴は、最新のセッションから最も古いものへとインデックス付けされ、一般に、サービス・タイプ、使用されたチャネルのＷａｌｓｈコード、使用されたパイロットのＰＮオフセット（別名アクティブ・セット）、および通信サービスをＴＣＨで開始するのに最も必要な他の関連構成情報などの基本情報を含む。これは、最初の電力レベル、および送信が連続的か不連続かなどの、物理的な無線チャネルの特徴を含む。また、ボコーダ・オプション、サービス・パラメータの質など、サービスの提供に関連するパラメータも含む。
【００２４】
ブロードキャスト・メッセージングで受信した情報の格納、および以前のサービス・セッションからの構成情報の格納に加えて、ＭＳ１１３およびＲＡＮ１０３は、ＭＳ１１３の休止状態の報告からの情報も含む。これは、通信に適するとＭＳ１１３によって報告された１組のパイロットを使用するチャネルを含む。したがって、ＲＡＮ１０３およびＭＳ１１３は、後の参照のためにこのチャネル割当関連情報のすべてを維持する。
【００２５】
発呼ユニット、すなわちＭＳ１２０は、アクセス・チャネル１２４を介してサービス要求をＲＡＮ１０３に送信する。図１に示すように、ＲＡＮ１０３は、単一の送信機および受信機を有するように示されている。しかし、よく知られているように、ＲＡＮは、広範な地域をカバーする多くの基地サイトを含み得る。したがってＭＳ１１３および１２０は、ＲＡＮ１０３内のどこかにあればよく、必ずしも同じ基地サイト、または位置エリアには限定されない。実際には、発呼ユニットは、移動体ユーザではなく公衆交換電話網（ＰＳＴＮ）ユーザであってもよい。
【００２６】
発呼ユニット１２０からサービス要求（ディスパッチ・サービス要求やパケット・データ接続要求など）を受信すると、ＲＡＮ１３０は、使用可能なＴＣＨ１２５を使用してＭＳ１２０とのＴＣＨ設定を開始する。また、ＲＡＮ１０３は、目的のＭＳ１１３の場所を突き止め、その可用性を決定する必要がある。これは通常、ＭＳ１１３を呼び出すことによって行われることになる。しかし、呼設定時間を短縮するために、ＲＡＮ１０３は、ペ
ージ・メッセージではなくチャネル割当メッセージをアセンブルし、ページ・メッセージではなくチャネル割当メッセージを送信することによってＭＳ１１３を呼び出す。事実上、ＲＡＮ１０３は、ＭＳ１１３が定期的にページについて監視するページング・スロットにおいて、ＭＳ１１３の位置エリア内の基地サイトからチャネル割当メッセージを送信することによってこのチャネル割当メッセージでＭＳ１１３を呼び出す。
【００２７】
ページング・チャネル１３０を介して送信されたチャネル割当メッセージは、短縮チャネル割当メッセージである。図３は、本発明の１実施形態によるチャネル割当メッセージ３００の例を示すブロック図である。チャネル割当メッセージ３００は、ＲＡＮ１０３に、ＭＳ１１３に対するチャネルおよびサービス割当の非常に簡潔な伝達における大きな柔軟性を提供する。
【００２８】
チャネル割当メッセージ３００には、ＭＳ１１３をアドレス指定する第１のフィールド、次いでＭＳ１１３およびＲＡＮ１０３が格納した情報を参照するのにＲＡＮ１０３が使用可能ないくつかのフィールドがある。格納されている情報は、ＲＡＮ１０３とＭＳ１１３との間の以前のサービス・セッションで使用された無線構成情報、ＲＡＮ１０３によって以前ブロードキャストされた情報、またはＭＳ１１３の休止状態の報告からの情報とすることが可能である。チャネル割当メッセージ３００は第２のフィールドを有し、これによってＲＡＮ１０３は最後に格納された「ｎ」個の構成のうちのどれを使用すべきかを示すことが可能である。チャネル割当メッセージ３００は第３および第４のフィールドを有し、これらによってＲＡＮ１０３は最後に格納された「ｎ」個のサービス・タイプのうちのどれをそれぞれ１次サービスおよび２次サービスに使用すべきかを示すことが可能である。ＲＡＮ１０３は、第５フィールドによって、以前のＷａｌｓｈコードを使用すべきであることを示し、それによってどのチャネルをＭＳ１１３が使用すべきかを示すことが可能である。ＲＡＮ１０３は、第６フィールドによって、ＦＣＳチャネルのうちのどれを使用すべきかを示すことが可能であり、ＲＡＮ１０３は、第７フィールドによって、以前のアクティブなパイロットの組を使用すべきであることを示すことが可能である。最後に、第８フィールドによってＲＡＮ１０３は、（オーバーヘッド・ブロードキャスト・メッセージングで以前識別された）どのＦＣＳパイロットをソフト・ハンドオフに使用すべきであるかを示すことが可能である。
【００２９】
したがって、前もって格納されている情報を参照することによって、チャネル割当メッセージをはるかに短くすることが可能である。チャネル割当メッセージ３００の例は、６０ビットより短い。ページング・チャネルでの半フレーム制限を超えることなく、合計９６ビットまでの追加情報を追加することが可能である。チャネル割当メッセージをそのようなサイズに縮小することによって、本実施形態は、リッスン側ユニットのバッテリの寿命に悪影響を与えることなく、チャネル割当メッセージをページング・スロットで送信可能であるようにする。したがって、ページング・スロットでチャネル割当メッセージを送信するこの通話設定時間の短縮という効果は、バッテリ寿命のトレード・オフなしに実現することが可能である。
【００３０】
図４は、本発明の１実施形態によるＲＡＮによって実行される工程を示す論理フロー図である。論理フロー４００は、ＦＣＳチャネルを識別する情報を含むオーバーヘッド・ブロードキャスト・メッセージングをＲＡＮが送信する（４０４）ことから始まる（４０２）。また、ＲＡＮは、リモート・ユニットとのサービス・セッションに使用された無線構成を記述する情報を格納する（４０６）。ＲＡＮは、リモート・ユニットとのサービスを確立する要求を発呼ユニットから受信する（４０８）と、ページング・チャネルを介してリモート・ユニットにチャネル割当メッセージを送信する（４１０）。チャネル割当メッセージは、以前にブロードキャストされた情報および格納されている無線構成情報を参照する。
【００３１】
リモート・ユニットがチャネル割当メッセージによってあるＦＣＳチャネルに割り当てられた場合、ＲＡＮは、ＦＣＳチャネルを介して、別のトラフィック・チャネルにハンドオフすることをリモート・ユニットに示すハンドオフ・メッセージをリモート・ユニットに送信する（４１２）。これによって、その後のチャネル割当メッセージで一時ＴＣＨとして使用するＦＣＳが解放される。ＦＣＳチャネルは、ブロードキャスト・メッセージングで識別されるため、数が限られており、したがって一時ＴＣＨとしてのみ使用すべきである。
【００３２】
図５は、本発明の１実施形態によるリモート・ユニットによって実行される工程を示す論理フロー図である。論理フロー５００は、ＲＡＮのオーバーヘッド・ブロードキャスト・メッセージングから受信した情報をリモート・ユニットが格納する（５０４）ことから始まる（５０２）。このメッセージングは、ＦＣＳチャネルを識別する情報を含む。また、リモート・ユニットは、ＲＡＮとのサービス・セッションに使用された無線構成を記述する情報を格納している（５０６）。ある時点で、リモート・ユニットは、ページング・チャネルを介してＲＡＮからチャネル割当メッセージを受信する（５０８）。格納されている情報を参照することによって、メッセージは、チャネルおよびサービスをリモート・ユニットに割り当てる。リモート・ユニットがあるＦＣＳチャネルに割り当てられた場合、リモート・ユニットは、ＦＣＳチャネルを介して、別のトラフィック・チャネルにハンドオフするようリモート・ユニットに指示するハンドオフ・メッセージを受信する。こうして論理フロー５００は終了する（５１２）。
【００３３】
下記の表は、本発明の１実施形態による図２に含まれるブロードキャスト・メッセージの情報の非常に詳しい記述である。
【００３４】
【表１】
2005524306.tif 000003
フィールドの記述
ＡＳＳＩＧＮ＿ＰＡＧＥ＿ＩＮＦＯ＿ＩＮＣＬ−インジケータに含まれる短縮チャネル割当追加情報を含むページ。
【００３５】
このメッセージに短縮チャネル割当を含む移動局宛てのページに関連する追加情報が含まれている場合、基地局はこのフィールドを「１」に設定し、そうでない場合はこのフィールドを「０」に設定する。
【００３６】
ＦＯＲ＿ＣＯＤＥ＿ＣＨＡＮ＿ＩＮＣＬ−インジケータに含まれる転送コード・チャネル・インデックス情報。
ＡＳＳＩＧＮ＿ＰＡＧＥ＿ＩＮＦＯ＿ＩＮＣＬが「０」に設定されている場合、基地局はこのフィールドを省略し、そうでない場合はこのフィールドを含み、次のように設定する。
【００３７】
このメッセージにＦＯＲ＿ＣＯＤＥ＿ＣＨＡＮフィールドの少なくとも１回が含まれている場合、基地局はこのフィールドを「１」に設定し、そうでない場合はこのフィールドを「０」に設定する。
【００３８】
ＮＵＭ＿ＦＯＲ＿ＣＯＤＥ＿ＣＨＡＮ−コード・チャネル・インデックス数。
ＦＯＲ＿ＣＯＤＥ＿ＣＨＡＮ＿ＩＮＣＬが「０」に設定されている場合、基地局はこのフィールドを省略し、そうでない場合はこのフィールドを含み、このメッセージに含まれるＦＯＲ＿ＣＯＤＥ＿ＣＨＡＮフィールドの回数−１に設定する。
【００３９】
このメッセージにＮＵＭ＿ＦＯＲ＿ＣＯＤＥ＿ＣＨＡＮが含まれている場合、基地局は、次の１フィールド・レコードのＮＵＭ＿ＦＯＲ＿ＣＯＤＥ＿ＣＨＡＮ＋１回を含む。
ＦＯＲ＿ＣＯＤＥ＿ＣＨＡＮ−転送コード・チャネル・インデックス。
【００４０】
基地局は、このフィールドを、短縮チャネル割当を含む移動体宛てのページを使用して割り当てることが可能なコード・チャネル・インデックスに設定する（［２］参照）。
無線構成１、２、３、または５（［２］参照）が使用されている場合、基地局はこのフィールドを１から６３までの範囲に設定する。無線構成４、６、または８が使用されている場合、基地局はこのフィールドを１から１２７までの範囲に設定する。無線構成７または９が使用されている場合、基地局はこのフィールドを１から２５５までの範囲に設定する。
【００４１】
ＦＯＲ＿ＣＰＣＳＣＨ＿ＩＮＣＬ−インジケータに含まれる転送共通電力制御チャネル・サブチャネル（Ｃｏｍｍｏｎ  Ｐｏｗｅｒ  Ｃｏｎｔｒｏｌ  Ｃｈａｎｎｅｌ  Ｓｕｂｃｈａｎｎｅｌ）情報。
【００４２】
ＡＳＳＩＧＮ＿ＰＡＧＥ＿ＩＮＦＯ＿ＩＮＣＬが「０」に設定されている場合、基地局はこのフィールドを省略し、そうでない場合はこのフィールドを含み、次のように設定する。
【００４３】
このメッセージにＦＯＲ＿ＣＰＣＳＣＨフィールドの少なくとも１回が含まれている場合、基地局はこのフィールドを「１」に設定し、そうでない場合はこのフィールドを「０」に設定する。
【００４４】
ＮＵＭ＿ＦＯＲ＿ＣＰＣＳＣＨ−転送共通電力制御チャネル・サブチャネル数。
ＦＯＲ＿ＣＰＣＳＣＨ＿ＩＮＣＬが「０」に設定されている場合、基地局はこのフィールドを省略し、そうでない場合はこのフィールドを含み、このメッセージに含まれるＦＯＲ＿ＣＰＣＳＣＨフィールドの回数−１に設定する。
【００４５】
このメッセージにＮＵＭ＿ＦＯＲ＿ＣＰＣＳＣＨが含まれている場合、基地局は、次の１フィールド・レコードのＮＵＭ＿ＦＯＲ＿ＣＰＣＳＣＨの回数＋１を含む。
ＦＯＲ＿ＣＰＣＳＣＨ−転送共通電力制御チャネル・サブチャネル。
【００４６】
基地局は、このフィールドを、短縮チャネル割当を含む移動体宛てのページを使用して割り当てることが可能な転送共通電力制御チャネル・サブチャネルに設定する。
ＭＡＣ＿ＩＤ＿ＩＮＣＬ−インジケータに含まれるＭＡＣインデックス情報。
【００４７】
ＡＳＳＩＧＮ＿ＰＡＧＥ＿ＩＮＦＯ＿ＩＮＣＬが「０」に設定されている場合、基地局はこのフィールドを省略し、そうでない場合はこのフィールドを含み、次のように設定する。
【００４８】
このメッセージにＭＡＣ＿ＩＤフィールドの少なくとも１回が含まれている場合、基地局はこのフィールドを「１」に設定し、そうでない場合はフィールドを「０」に設定する。
【００４９】
ＮＵＭ＿ＭＡＣ＿ＩＤ−メディア・アクセス制御インデックス数。
ＭＡＣ＿ＩＤ＿ＩＮＣＬが「０」に設定されている場合、基地局はこのフィールドを省略し、そうでない場合はこのフィールドを含み、このメッセージに含まれるＭＡＣ＿ＩＤフィールドの回数−１に設定する。
【００５０】
このメッセージにＮＵＭ＿ＭＡＣ＿ＩＤが含まれている場合、基地局は、次の１フィールド・レコードのＮＵＭ＿ＭＡＣ＿ＩＤの回数＋１を含む。
ＭＡＣ−ＩＤ−メディア・アクセス制御インデックス。
【００５１】
基地局は、このフィールドを、短縮チャネル割当を含む移動体宛てのページを使用して割り当てることが可能なメディア・アクセス制御インデックスに設定する。
下記の表は、本発明の１実施形態による図３に含まれる短縮チャネル割当メッセージの情報の非常に詳しい記述である。
【００５２】
短縮チャネル割当を含む移動局宛てのページのＰＤＵ形式：
【００５３】
【表２】
2005524306.tif 000004
ＣＯＮＦＩＧ＿ＭＳＧ＿ＳＥＱ−構成メッセージ・シーケンス番号。
基地局はこのフィールドをＣＯＮＦＩＧ＿ＳＥＱ（３．６．２．２参照）に設定する。
【００５４】
［・・・］
ＡＤＤ＿ＢＣＡＳＴ＿ＲＥＣＯＲＤ−追加のブロードキャスト情報レコード。
ＥＸＴ＿ＢＣＡＳＴ＿ＳＤＵ＿ＬＥＮＧＴＨ＿ＩＮＤ（［４］参照）が「００」または「０１」に設定されている場合、基地局はこのフィールドを省略し、そうでない場合はこのフィールドにＥＸＴ＿ＢＣＡＳＴ＿ＳＤＵ＿ＬＥＮＧＴＨ（［４］参照）オクテットを含む。
【００５５】
ＲＥＳＰＯＮＳＥ＿ＩＮＤ−応答要求済みインジケータ。
基地局は、表３．７．２．３．２．１７−１に従ってこのフィールドを設定する。
【００５６】
【表３】
2005524306.tif 000005
ＳＲ＿ＩＤ＿ＲＥＳＴＯＲＥ−復元すべきサービス参照識別子。
移動局が格納されているサービス構成からすべてのサービス・オプション接続を復元しようとしている場合、基地局はこのフィールドを「１１１」に設定し、そうでない場合はこのフィールドを、復元すべきサービス・オプション接続に対応するサービス参照識別子に設定する。
【００５７】
ＵＳＥ＿ＰＲＥＶ＿ＡＣＴＩＶＥ＿ＳＥＴ−前のアクティブ・セット・インジケータを使用。
移動局制御がトラフィック・チャネル状態になっている場合、トラフィック・チャネル上の移動局のアクティブ・セットが移動局によって格納されているものと同じであることを示すには、基地局はこのフィードを「１」に設定し、そうでない場合はこのフィールドを「０」に設定する。
【００５８】
ＦＯＲ＿ＣＨＡＮ＿ＩＤ−転送コード・チャネルまたはＦ−ＣＰＣＳＣＨ識別子。
ＵＳＥ＿ＰＲＥＶ＿ＡＣＴＩＶＥ＿ＳＥＴが「０」に等しい場合、またはＵＳＥ＿ＰＲＥＶ＿ＡＣＴＩＶＥ＿ＳＥＴが「１」に等しく、ＵＳＥ＿ＰＲＥＶ＿ＦＯＲ＿ＣＨＡＮが「０」に等しい場合、基地局はこのフィールドを次のように設定する。
【００５９】
Ｆｏｒｗａｒｄ  Ｆｕｎｄｉｃａｔｅｄチャネル（Ｆｏｒｗａｒｄ  Ｆｕｎｄｉｃａｔｅｄ  Ｃｈａｎｎｅｌ）が割り当てられている場合、基地局は、このフィールドを、すべてのパイロットにおいて移動局に割り当てられたＦＰＣ＿ＰＲＩ＿ＣＨＡＮに関連する転送トラフィック・チャネルのｗａｌｓｈコードに対応する識別子に設定する。
【００６０】
Ｆｏｒｗａｒｄ  Ｆｕｎｄｉｃａｔｅｄチャネルが割り当てられていない場合、基地局は、このフィールドを、すべてのパイロットにおいて移動局に割り当てられた転送共通電力制御チャネル・サブチャネルに対応する識別子に設定する。
【００６１】
そうでない場合、基地局はこのフィールドを「００」に設定する。
ＭＡＣ＿ＩＤ＿ＩＤ−メディア・アクセス制御インデックス識別子。
転送パケット・データ・チャネルが割り当てられていない場合、またはＵＳＥ＿ＰＲ
ＥＶ＿ＡＣＴＩＶＥ＿ＳＥＴが「１」に等しく、ＵＳＥ＿ＰＲＥＶ＿ＭＡＣ＿ＩＤが「１」に等しい場合、基地局はこのフィールドを「００」に設定する。
【００６２】
そうでない場合、基地局は、このフィールドを、すべてのパイロットにおいて移動局に割り当てられているＭＡＣインデックスに対応する識別子に設定する。
ＵＳＥ＿ＰＲＥＶ＿ＡＣＴＩＶＥ＿ＳＥＴが「０」に等しい場合、基地局は次の４フィールド・レコードを含む。
【００６３】
ＮＥＷ＿ＡＣＴＩＶＥ＿ＳＥＴ−新しいアクティブ・セット。
基地局は、表３．７．２．３．２．１７−２に従ってこのフィールドを設定する。
【００６４】
【表４】
2005524306.tif 000006
ＵＳＥ＿ＰＲＥＶ＿ＡＣＴＩＶＥ＿ＳＥＴが「１」に等しい場合、基地局は次の３フィールド・レコードを含む。
【００６５】
ＵＳＥ＿ＰＲＥＶ＿ＦＯＲ＿ＣＨＡＮ−以前の転送コード・チャネルまたはＦ−ＣＰＣＳＣＨインジケータを使用。
移動局制御がトラフィック・チャネル状態になっている場合、移動局のＦｏｒｗａｒｄ  Ｆｕｎｄｉｃａｔｅｄチャネルｗａｌｓｈコードまたは転送共通電力制御チャネル・サブチャネルが移動局によって格納されているものと同じであることを示すには、基地局はこのフィードを「１」に設定し、そうでない場合はこのフィールドを「０」に設定する。
【００６６】
ＵＳＥ＿ＰＲＥＶ＿ＭＡＣ＿ＩＤ−以前のＭＡＣインデックス・インジケータを使用。
移動局制御がトラフィック・チャネル状態になっている場合、移動局のＭＡＣインデックスが移動局によって格納されているものと同じであることを示すには、基地局はこのフィードを「１」に設定し、そうでない場合はこのフィールドを「０」に設定する。転送パケット・データ・チャネルが割り当てられていない場合、基地局は、このフィールドを「０」に設定する。
【００６７】
本発明は、特にその特定の実施形態を参照して示し、説明してきたが、本発明の意図および範囲から逸脱することなく、形態および詳細に様々な変更を加えることが可能であることが当業者には理解される。
【図面の簡単な説明】
【００６８】
【図１】本発明の１実施形態による通信システムを示すブロック図。
【図２】本発明の１実施形態によるブロードキャスト・メッセージを示すブロック図。
【図３】本発明の１実施形態による短縮チャネル割当メッセージを示すブロック図。
【図４】本発明の１実施形態による無線アクセス・ネットワーク（ＲＡＮ）によって実行される工程を示す論理フロー図。
【図５】本発明の１実施形態によるリモート・ユニットによって実行される工程を示す論理フロー図。
【図１】
2005524306.tif 000007
【図２】
2005524306.tif 000008
【図３】
2005524306.tif 000009
【図４】
2005524306.tif 000010
【図５】
2005524306.tif 000011
【国際調査報告】
2005524306.tif 000012